(57)【要約】【課題】複数のＬＥＤ等の発光素子の点灯状態によってパラメータ値を表示する装置において、少数の発光素子によって高精度な表示を行う。【解決手段】順次隣接して配列された複数の発光素子（４０−１，４０−２，…，４０−ｎ）と、これら複数の発光素子のうち隣接する第１および第２の発光素子（ＬＥＤ４０−１，４０−２）を同時に点灯させる態様として二以上の態様を可能ならしめつつ、所定のパラメータ値に応じて前記各発光素子に対する点灯方法を決定する点灯方法決定手段（８）とを設けた。【選択図】  図３
2005043396.tif 000002
【特許請求の範囲】
【請求項１】
順次隣接して配列された複数の発光素子と、
前記複数の発光素子のうち隣接する第１および第２の発光素子を同時に点灯させる態様として二以上の態様を可能ならしめつつ、所定のパラメータ値に応じて前記各発光素子に対する点灯方法を決定する点灯方法決定手段と
を有することを特徴とするパラメータ値表示装置。
【請求項２】
前記複数の発光素子は、回転する操作子の周回方向に沿って配列され、点灯状態によって該操作子に対応するパラメータ値を表示することを特徴とする請求項１記載のパラメータ値表示装置。
【請求項３】
前記第１および第２の発光素子を同時に点灯させる態様は、該第１の発光素子の明点灯および該第２の発光素子の暗点灯から成る態様と、該第１の発光素子の暗点灯および該第２の発光素子の明点灯から成る態様とを含むことを特徴とする請求項１記載のパラメータ値表示装置。
【発明の詳細な説明】
【０００１】
【発明の属する技術分野】
本発明は、ミキシングシステム、その他音声信号を処理する装置に用いて好適なパラメータ値表示装置に関する。
【０００２】
【従来の技術】
近年のミキシングシステムにおいては、フェーダやボリューム操作子等で設定されたパラメータ値、各種ボタンのオン／オフ状態、その他ミキシングシステムの設定状態をメモリのシーンメモリ領域に記憶し、記憶した設定状態をワンタッチで再現する機能（シーンリコール機能）が設けられている（非特許文献１）。このため、これら各操作子に係るパラメータ値は、自動的に再現可能な態様によって操作パネル上に表現される必要がある。ここで、各操作子におけるパラメータ値の表示態様は、操作子の種類によって異なる。
【０００３】
まず、フェーダにおいては、フェーダそのものの操作位置によってパラメータ値が表現される。従って、かかるパラメータ値をパネル上に自動的に再現するためには、モータ等の駆動機構を設け、フェーダの操作位置を物理的に駆動する必要がある。また、スイッチにはオン／オフ状態を示すＬＥＤが内蔵されており、このＬＥＤのオン／オフ状態によって操作状態が表現される。従って、記憶した設定状態に応じてＬＥＤを自動的にオン／オフすることによって、当該スイッチの操作状態を再現することができる。また、ボリューム操作子については、当該ボリューム操作子の周囲に環状にＬＥＤを配置し、これらＬＥＤの点灯状態によって当該ボリューム操作子に係るパラメータ値を表現することが一般的である。
【０００４】
ここで、環状に配置されたＬＥＤを用いたボリューム操作子のパラメータ値の表示方法の一例を図４に示す。同図（ａ）〜（ｃ）は、パラメータ値が最小の量から上昇してゆく場合における表示の変遷状態の例であり、「最左端のＬＥＤのみの点灯」、「最左端および左から２番目のＬＥＤの点灯」、「左から２番目のＬＥＤのみの点灯」、……のように点灯状態が変遷する。かかる技術によれば、ＬＥＤの数を「ｎ」とすれば「２ｎ−１」段階の精度でパラメータ値を表現することができる。また、表示方法の他の例を図５に示す。同図（ａ）〜（ｃ）も、パラメータ値が最小の量から上昇してゆく場合における表示の変遷状態の例であり、「最左端のＬＥＤのみの点灯」、「最左端から２番目までのＬＥＤの点灯」、「最左端から３番目までのＬＥＤの点灯」、……のように点灯状態が変遷する。かかる技術によれば、ＬＥＤの数を「ｎ」とすれば「ｎ」段階の精度でパラメータ値を表現することができる。
【０００５】
【非特許文献１】「ＤＭ２０００取扱説明書」  ヤマハ株式会社，平成１４年２月
【０００６】
【発明が解決しようとする課題】
ところで、これらボリューム操作子によって設定できるパラメータ値、例えば減衰量、イコライジング量等は、ミキシングシステムの内部では数百段階の精度で設定可能であるが、実際に操作パネル上で実現可能な表示精度はＬＥＤの数によって限定される。ここで、ＬＥＤの数「ｎ」を増加させると、増加に伴って表示精度も向上させることができるが、これによってコストアップを招くという問題もある。
この発明は上述した事情に鑑みてなされたものであり、少数の発光素子によって高精度な表示を行うことができるパラメータ値表示装置を提供することを目的としている。
【０００７】
【課題を解決するための手段】
上記課題を解決するため本発明にあっては、下記構成を具備することを特徴とする。なお、括弧内は例示である。
請求項１記載のパラメータ値表示装置にあっては、順次隣接して配列された複数の発光素子（４０−１，４０−２，…，４０−ｎ）と、前記複数の発光素子のうち隣接する第１および第２の発光素子（ＬＥＤ４０−１，４０−２）を同時に点灯させる態様として二以上の態様を可能ならしめつつ、所定のパラメータ値に応じて前記各発光素子に対する点灯方法を決定する点灯方法決定手段（ＳＰ８）とを有することを特徴とする。
さらに、請求項２記載の構成にあっては、請求項１記載のパラメータ値表示装置において、前記複数の発光素子は、回転する操作子の周回方向に沿って配列され、点灯状態によって該操作子に対応するパラメータ値を表示することを特徴とする。
さらに、請求項３記載の構成にあっては、請求項１記載のパラメータ値表示装置において、前記第１および第２の発光素子を同時に点灯させる態様は、該第１の発光素子の明点灯および該第２の発光素子の暗点灯から成る態様と、該第１の発光素子の暗点灯および該第２の発光素子の明点灯から成る態様とを含むことを特徴とする。
【０００８】
【発明の実施の形態】
１．実施形態の構成
次に、本発明の一実施形態のミキシングシステムの全体構成を図１を参照し説明する。
図において２は操作子群であり、フェーダ、ボリューム操作子、スイッチ等の操作子から構成されている。４は検出回路であり、操作子群２における各操作子の操作状態を検出しバス１４を介して出力する。６は表示部であり、ユーザに対して各種情報を表示するドットマトリクスディスプレイ、ボリューム操作子の周囲のＬＥＤ、スイッチ等に埋設されたＬＥＤ、レベルメータ等から構成されている。８は表示回路であり、バス１４を介して供給された表示情報に基づいて、表示部６の各部を制御する。１０は信号処理回路であり、操作子群２などで設定されたアルゴリズムおよびパラメータに基づいて複数の入力チャンネルのデジタル音声信号に対してミキシング処理を施す。
【０００９】
１２は入出力インタフェースであり、外部機器２４から入力されたアナログまたはデジタル音声信号をミキシングシステムの内部形式のデジタル音声信号に変換し、信号処理回路１０に供給するとともに、信号処理回路１０から供給されたミキシング結果を他方式のデジタル音声信号またはアナログ音声信号に変換し外部機器２４に供給する。２０はＣＰＵであり、ＲＯＭ１６に格納された制御プログラムに基づいて、バス１４を介して各部を制御する。２２は通信インタフェースであり、外部制御機器２６との間で制御データの入出力を行う。
【００１０】
１８はＲＡＭであり、ＣＰＵ２０のワークメモリとして用いられる。ところで、ＲＡＭ１８には、上記アルゴリズムに対して適用される各パラメータの現在値を記憶する領域が設けられており、この領域を「カレント領域」と呼ぶ。ここで、ある時点におけるカレント領域の内容を「シーン」と呼ぶ。そして、ＲＡＭ１８には、複数のシーンを記憶する複数の「シーンメモリ領域」が設けられている。操作者は、このカレント領域の内容を任意のシーンメモリ領域に格納することができ、また任意のシーンメモリ領域の内容をカレント領域に再現することができる。このようにシーンを読み出してカレント領域に再現する動作を「シーンリコール」と呼ぶ。
【００１１】
次に、上述した操作子群２に含まれるボリューム操作子と、その周囲のＬＥＤの詳細構成を図３を参照し説明する。図３（ａ）において４２はボリューム操作子であり、ミキシングシステムの操作パネル上に回動自在に設けられている。４０はＬＥＤ群であり、ボリューム操作子４２の周囲に、時計回り（ボリューム操作子４２の周回方向）に一部切欠環状に順次配置されたｎ個のＬＥＤ４０−１，４０−２，…，４０−ｎから構成されている。また、ＬＥＤの数「ｎ」は、ボリューム操作子４２で設定するパラメータの値が取り得る範囲よりも少ない数である。次に、ＬＥＤ群４０に対する点灯回路の詳細を図３（ｂ）を参照し説明する。図において３０は直流電源であり、各ＬＥＤ４０−１，４０−２，…，４０−ｎのアノード端に所定の直流電圧を印加する。ＬＥＤ４０−１のカソード端には、抵抗器３２−１および３４−１の各一端が接続され、抵抗器３２−１および３４−１の各他端は、各々スイッチ３６−１および３８−１を介して直流電源３０の接地端に接続されている。
【００１２】
ここで、スイッチ３６−１または３８−１のうち何れか一方のみをオン状態（閉状態）に設定すると、抵抗器３２−１または３４−１の抵抗値に応じた電流がＬＥＤ４０−１に流れるから、ＬＥＤ４０−１はその電流値に応じて比較的暗く（明点灯よりも暗く）点灯する（暗点灯という）。また、スイッチ３６−１および３８−１の双方をオン状態に設定すると、抵抗器３２−１および３４−１の双方を介してＬＥＤ４０−１には大きな電流が流れるため、ＬＥＤ４０−１は比較的明るく（暗点灯よりも明るく）点灯する（明点灯という）。また、両スイッチを共にオフ状態にすると、ＬＥＤ４０−１は消灯する。
【００１３】
他のＬＥＤ４０−２，４０−３，…，４０−ｎに対しても、同様に抵抗器３２−２〜３２−ｎ，３４−２〜３４−ｎおよびスイッチ３６−２〜３６−ｎ，３８−２〜３８−ｎが設けられている。そして、スイッチ３６−１〜３６−ｎ，３８−１〜３８−ｎのオン／オフ状態は、後述するプログラムにより表示回路８を介して制御される。これにより、該プログラムにより、各ＬＥＤ４０−１，４０−２，…，４０−ｎについて「消灯」、「暗点灯」、「明点灯」の「３」状態を任意に設定することができる。
【００１４】
２．実施形態の動作
次に、本実施形態の動作について説明する。まず、本実施形態のミキシングシステムの電源がオンされると、ＣＰＵ２０においてメインルーチン（図示せず）が起動される。このメインルーチンにおいては、信号処理回路１０に対するミキシングアルゴリズムの設定、通信インタフェース２２を介しての制御情報の入出力等の処理が実行される。そして、ユーザが何れかのボリューム操作子を操作した場合、またはユーザがシーンリコール操作を行った場合には、図２に示す点灯状態制御ルーチンが起動される。なお、同図のルーチンは一のボリューム操作子に対して一のプロセスづつ起動される。従って、ユーザが一のボリューム操作子を操作した場合には、そのボリューム操作子に対する一プロセスの点灯状態制御ルーチンが起動される。一方、ユーザがシーンリコール操作を行った場合には、シーンリコール操作の対象となる複数のボリューム操作子に対して、同数のプロセスの点灯状態制御ルーチンが起動されることになる。
【００１５】
図２において処理がステップＳＰ２に進むと、対象となるボリューム操作子について値の変更が指示されているか否かが判定される。ユーザがボリューム操作子を操作したために本ルーチンが呼び出されたのであれば、一般的には当該操作は「値の変更を指示するもの」に他ならないため「ＹＥＳ」と判定され、処理はステップＳＰ４に進む。しかし、シーンリコール操作によって本ルーチンが呼び出されたのであれば、「値の変更が指示されない」場合、すなわちシーンリコールの前後において対応する操作子の操作量（回転角度）に変化が生じない場合もあり得る。かかる場合は「ＮＯ」と判定され、実質的な処理が行われることなく本ルーチンが終了する。
【００１６】
ステップＳＰ４においては、該ボリューム操作子等の操作状態に基づいて、該ボリューム操作子の「新たな操作量（回転角度）」が決定される。すなわち、ボリューム操作子が操作（回動）されることによって本ルーチンが呼び出された場合は、その回動角度と、回動前の操作量とに基づいて「新たな操作量」が算出される。また、シーンリコール操作によって本ルーチンが呼び出された場合には、該ボリューム操作子に対応してシーンメモリ領域に記憶されていたパラメータ値に対応する操作量が「新たな操作量」として決定される。次に、処理がステップＳＰ６に進むと、この新たに決定された操作量に基づいて、該ボリューム操作子に対応する「パラメータ値」が変更される。
【００１７】
ここで、パラメータとは、信号処理回路１０内で実行されているミキシングアルゴリズム内で使用されているパラメータであり、例えば「減衰量」、「エフェクト量」、「ディレイ時間」、「周波数」などの量である。すなわち、ステップＳＰ６においては、例えば「回転角度」である操作量が、種々のパラメータ値として使用し得る値、例えば「１０ｄＢ（減衰量等）」、「１０ｍｓｅｃ（時間）」、あるいは「１０ｋＨｚ（周波数）」等の数値に変換されるのである。
【００１８】
これらのパラメータが変更されることにより、信号処理回路１０内におけるミキシング状態すなわち出力される音声信号が変化する。次に、処理がステップＳＰ８に進むと、変更後の新たなパラメータ値に基づいて、対応する（操作されたボリューム操作子で設定できるパラメータの値を表示する）ＬＥＤ群４０における表現方法が決定される。なお、パラメータ値とＬＥＤ群４０における表現方法との対応関係は予めＲＡＭ１８内にテーブルとして記憶されており、この対応関係についての詳細は後述する。次に、処理がステップＳＰ１０に進むと、この決定された表現方法によってＬＥＤ群４０の点灯状態を制御することで、パラメータ値がＬＥＤ群４０上に表現される。
【００１９】
次に、上記ステップＳＰ８において決定されＬＥＤ群４０上に反映される、パラメータ値の表現方法の一例を図６を参照し説明する。同図（ａ）〜（ｅ）は、図３における各ＬＥＤ４０−１，４０−２，…，４０−ｎの点灯状態を示す図であり、図上「黒塗り」は明点灯、「メッシュ」は暗点灯、「白地」は消灯状態を示す。同図（ａ）〜（ｅ）は、パラメータ値が最小の量から上昇してゆく場合における表示の変遷状態の例であり、「ＬＥＤ４０−１のみの明点灯」、「ＬＥＤ４０−１の明点灯およびＬＥＤ４０−２の暗点灯」、「ＬＥＤ４０−１，４０−２の明点灯」、「ＬＥＤ４０−１の暗点灯およびＬＥＤ４０−２の明点灯」、「ＬＥＤ４０−２のみの明点灯」、……の順で点灯状態が変遷する。従って、同図の表現方法によれば、ＬＥＤの数を「ｎ」とすれば「４ｎ−３」段階のパラメータの値を表現することができる。
【００２０】
ここで、ＬＥＤの数ｎが「２２」であったとすると、表現可能なパラメータの段階数は「８５」になる。そして、実際のパラメータが「０〜１６９」の範囲内の任意の整数値を取りうるとすると、パラメータ値が「０〜１」の範囲に対して図６（ａ），「２〜３」の範囲に対して同図（ｂ），「４〜５」の範囲に対して同図（ｃ），「６〜７」の範囲に対して同図（ｄ），「８〜９」の範囲に対して同図（ｅ），……の表現方法を設定すればよい。
【００２１】
また、表現方法の他の例を図７に示す。同図（ａ）〜（ｅ）も、パラメータ値が最小の量から上昇してゆく場合における表示の変遷状態の例であり、「ＬＥＤ４０−１のみの明点灯」、「ＬＥＤ４０−１の明点灯およびＬＥＤ４０−２の暗点灯」、「ＬＥＤ４０−１，４０−２の明点灯」、「ＬＥＤ４０−１，４０−２の明点灯およびＬＥＤ４０−３の暗点灯」、「ＬＥＤ４０−１，４０−２，４０−３の明点灯」、……の順で点灯状態が変遷する。従って、同図の表現方法によれば、ＬＥＤの数を「ｎ」とすれば「２ｎ−１」段階のパラメータを表現することができる。
【００２２】
ここで、ＬＥＤの数ｎが「１７」であったとすると、表現可能なパラメータの段階数は「３３」になる。そして、実際のパラメータが「０〜１３１」の範囲内の任意の整数値を取りうるとすると、パラメータ値が「０〜３」の範囲に対して図７（ａ），「４〜７」の範囲に対して同図（ｂ），「８〜１１」の範囲に対して同図（ｃ），……の表現方法を設定すればよい。
【００２３】
３．変形例
本発明は上述した実施形態に限定されるものではなく、例えば以下のように種々の変形が可能である。
（１）図６に示す表示例においては、パラメータ値の増加に伴ってＬＥＤ４０−１のみの明点灯（同図（ａ））からＬＥＤ４０−２のみの明点灯（同図（ｅ））に至るまで、「４」段階に渡って点灯状態が変遷した。しかし、同図（ｂ）〜（ｄ）の「３」段階の点灯状態のうち何れか一状態を省略してもよい。省略した場合においても、２個のＬＥＤによって「２」段階の態様が可能である。
（２）上記実施形態においては、一のＬＥＤの点灯状態は「暗点灯」または「明点灯」のうちの何れかであったが、点灯状態の種類を「３」あるいは「４」種類以上に増加させてもよい。
【００２４】
（３）また、上記実施形態においては個々ＬＥＤの「点灯状態」を変化させる実例として「明るさ」を変化させた例を説明したが、例えばＬＥＤ４０−１，４０−２，…，４０−ｎとして多色発光ＬＥＤを採用することにより、「明るさ」に代えて「点灯色」を変化させるようにしてもよい。
（４）また、上記実施形態においては、全てのＬＥＤ４０−１，４０−２，…，４０−ｎについて複数の「点灯状態」を選択することが可能であったが、これらのうち一部のＬＥＤのみについて複数の「点灯状態」の選択を可能にし、残りのＬＥＤは従来通りに一種類の点灯状態のみ可能にしてもよい。これにより、特に使用頻度の高い範囲（例えばノミナルポジション前後）についてはパラメータ値の精細な表示を可能にしつつ、全体の回路構成を簡易にすることができる。
【００２５】
（５）上記実施形態のステップＳＰ８，ＳＰ１０においては、新たなパラメータ値に基づいて、一の表現方法が決定され、決定された表現方法によって直ちにＬＥＤ群４０の点灯状態が該パラメータ値に対応する状態に変更された。しかし、変更前のパラメータに対応する表現方法から変更後のパラメータに対応する表現方法に至る全ての表現方法を所定時間毎に順次ＬＥＤ群４０上に実現するようにしてもよい。例えば、点灯状態制御ルーチン（図２）が呼び出される前の点灯状態が図６（ａ）に示す通りであって、新たなパラメータに対応する点灯状態が同図（ｅ）に示す通りであったとする。かかる場合は、直ちに同図（ｅ）に示すように点灯させるのではなく、同図（ｂ）〜（ｅ）の点灯状態を所定時間毎に順次再現し、最終的に同図（ｅ）に示すように各ＬＥＤを点灯させるようにするとよい。
【００２６】
（６）また、上記実施形態は、ボリューム操作子４２の周囲に周回方向に沿って発光素子（ＬＥＤ）配列した例を説明したが、本発明はボリューム操作子等の周囲に配列したものに限定されない。例えば、ミキシングシステムには、複数の発光素子を直線状に配列し、その点灯状態によって音声レベル等を表示するレベルメータが備えられている場合がある。このようなレベルメータについても、本発明を適用することによって、使用される発光素子の数に比して高い精度で信号レベル等を表示できるレベルメータを実現することができる。
【００２７】
【発明の効果】
以上説明したように本発明によれば、第１および第２の発光素子を同時に点灯させる態様として二以上の態様を可能ならしめつつ、所定のパラメータ値に応じて各発光素子に対する点灯方法を決定するから、発光素子の総数が少ない場合であっても高い表示精度を実現することができる。
【図面の簡単な説明】
【図１】本発明の一実施形態のミキシングシステムの全体ブロック図である。
【図２】上記実施形態の処理プログラムのフローチャートである。
【図３】ＬＥＤ群４０の外観および周辺回路の回路図である。
【図４】従来のパラメータ値表示方法の一例を示す図である。
【図５】従来のパラメータ値表示方法の他の例を示す図である。
【図６】本実施形態によるパラメータ値表示方法の一例を示す図である。
【図７】本実施形態によるパラメータ値表示方法の他の例を示す図である。
【符号の説明】
２：操作子群、４：検出回路、６：表示部、８：表示回路、１０：信号処理回路、１２：入出力インタフェース、１４：バス、１６：ＲＯＭ、１８：ＲＡＭ、２０：ＣＰＵ、２２：通信インタフェース、２４：外部機器、２６：外部制御機器、３０：直流電源、３２−２〜３２−ｎ，３４−２〜３４−ｎ：抵抗器、３６−１〜３６−ｎ，３８−１〜３８−ｎ：スイッチ、４０：ＬＥＤ群、４０−１，４０−２，…，４０−ｎ：ＬＥＤ、４２：ボリューム操作子。
【図１】
2005043396.tif 000003
【図２】
2005043396.tif 000004
【図３】
2005043396.tif 000005
【図４】
2005043396.tif 000006
【図５】
2005043396.tif 000007
【図６】
2005043396.tif 000008
【図７】
2005043396.tif 000009